(57)【要約】      （修正有）【課題】簡素でモダンな現代的な仏壇でもリン部材とこのリン部材を叩く叩打部材とを一体とした現代風の新型リン具を提供する。【解決手段】新型リン具１０は、叩打部材により打ち鳴らされる椀状のリン部材１１を支持する枠体１３を備える。この枠体１３の底面部は、部分球状であり、尚且つ、リン部材１１及び叩打部材を含めた枠体１３の重心が部分球状の上縁高さ１４よりも低い位置にあって傾きに対する復原力を備える。部分球状の上縁高さ１４とは枠体の下部の球状部分が途切れる箇所で尚且つ最も低い部分を指す。枠体１３の上部から吊下される叩打部材としては、リン部材１１の直上の枠体１３上部に穿設された穿設孔１６から吊下された金属製線材からなる吊下材１７と、穿設孔１６を通過して吊下材１７の上端部に取付けられた頭部１５と、吊下材１７の下端部に取付けられた球状の叩打塊１９とを備える。尚、吊下材１７としては金属製線材を用いているが、金属製でない糸や紐等であってもよい。【選択図】図１
0003193333.tif 000002
【実用新案登録請求の範囲】
【請求項１】
椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられていることを特徴とする新型リン具。
【請求項２】
椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下材の上端部と前記頭部とが互いに取り外し可能に係止された頭部係止手段であることを特徴とする新型リン具。
【請求項３】
椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下材の上端部と前記頭部とが互いに取り外し可能に螺合された螺合手段であることを特徴とする新型リン具。
【請求項４】
椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下部の下端部と前記叩打塊とが互いに取り外し可能に係止された叩打塊係止手段であることを特徴とする新型リン具。
【請求項５】
椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下部の下端部と前記叩打塊とが互いに取り外し可能に係止されたチャック手段であることを特徴とする新型リン具。
【考案の詳細な説明】
【技術分野】
【０００１】
本考案は、リン部材とこのリン部材を叩く叩打部材とを一体とした現代風の新型リン具の工夫に関するものである。
【背景技術】
【０００２】
本出願人は、仏壇に御参りする際にリン棒で叩いて音を出す器状の金属製のおりんと、これを支えるリン台とからなり、前記おりんの底面中央部に、リン台とを一体に連結する連結手段を備える高台りんを既に提案している（特許文献１参照）。おりんとは、仏壇、祭壇等に載置され、勤行（ごんぎょう）の際に椀状のりん本体をりん棒と呼ばれるバチで打って音を出すものある。
【０００３】
本来、仏壇は所謂「お寺のミニチュア」として本尊を祀るものであった。しかし、近年では、ライフスタイルの変化により、フローリングのみの畳みを敷いた部屋のない家屋、マンション等の住居が現れるに従い、従来の仏間に置かれた仏壇とは相違する現代的な仏壇が現れてもいる。この現代的な仏壇を故人や先祖を供養するためのものとして捉える人も増えてきている。
【０００４】
この現代的な仏壇のデザインとしては、リビングにおいても何ら違和感のないようなインテリアとして、華美な装飾を施さないシンプルな仏壇が好まれるため「家具調仏壇」とも呼ばれ、この仏壇に応じて仏壇内に収納される仏具も、よりシンプルなデザインのものが好まれつつある。例えば、おりんについても、「りん台」と呼ばれる台の上に、「りん布団」と呼ばれる中敷を置き、その上に「おりん」を乗せる従来のおりんではなく、リン台やりん布団を敷かずに用いるおりん等のシンプルなものが選ばれている。
【０００５】
また、現代においては、ペットは家族の一員となっている。そこでペットの死に際し、人間と同じように葬儀やお墓、仏壇を用意するケースも増えている。例えば、自動車の荷台に犬・猫・ハムスター等の愛玩動物（以下、ペットとも記載）を火葬するための小型の火葬炉（焼却炉）を積載したペット用火葬車が提案されている（特許文献２）。これは、ペットの死体はゴミとして処理する自治体が多く、家族の一員として飼われていた愛犬や愛猫の死に際して、その供養葬祭の場が極めて少なくせめて火葬に付すために提案されたものである。
【０００６】
尚、原則的に、ペットは人間と同じ仏壇には祀ることはない。これは存在する世界（人間道と畜生道）が相違するためであると言われている。祀る場合は、別途設けることになる。このため、ペット専用の仏壇や仏具が販売されてもいる。
【先行技術文献】
【特許文献】
【０００７】
【特許文献１】実用新案登録第３０５４６０７号公報
【特許文献２】実公平６−４１８５号公報
【考案の概要】
【考案が解決しようとする課題】
【０００８】
本考案は、従来の勤行の際に音を出すものではなく、簡素でモダンな現代的な仏壇でもリン部材とこのリン部材を叩く叩打部材とを一体とした現代風の新型リン具として充分にマッチするだけでなく、ペット用としても使用することができる仏具としても充分に利用可能な新型リン具を得ることを目的とする。
【課題を解決するための手段】
【０００９】
請求項１に記載された考案に係る新型リン具は、椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられていることを特徴とするものである。
【００１０】
請求項２に記載された考案に係る新型リン具は、椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下材の上端部と前記頭部とが互いに取り外し可能に係止された頭部係止手段であるものである。
【００１１】
請求項３に記載された考案に係る新型リン具は、椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下材の上端部と前記頭部とが互いに取り外し可能に螺合された螺合手段であることを特徴とするものである。
【００１２】
請求項４に記載された考案に係る新型リン具は、椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下部の下端部と前記叩打塊とが互いに取り外し可能に係止された叩打塊係止手段であることを特徴とするものである。
【００１３】
請求項５に記載された考案に係る新型リン具は、椀状のリン部材が叩打部材により打ち鳴らされる新型リン具であって、
前記リン部材を支持し、叩打部材を吊下するための枠体を備え、
前記リン部材を支持する枠体の底面部は部分球状であり、リン部材及び叩打部材を含めた枠体の重心が部分球状の上縁高さよりも低い位置にあって傾きに対する復原力を備えた新型リン具において、
前記叩打部材が、
前記リン部材の直上の枠体上部に穿設された穿設孔から揺動自在に吊下された吊下材と、
前記穿設孔を通過して吊下材の上端部に取付けられた頭部と、
前記吊下材の下端部に取付けられた叩打塊とを備え、
前記頭部が前記枠体に対して取り外し可能な係止手段によって取付けられ、
前記係止手段が、前記吊下部の下端部と前記叩打塊とが互いに取り外し可能に係止されたチャック手段であることを特徴とするものである。
【考案の効果】
【００１４】
本考案は、従来の勤行の際に音を出すものではなく、簡素でモダンな現代的な仏壇でもリン部材とこのリン部材を叩く叩打部材とを一体とした現代風の新型リン具として充分にマッチするだけでなく、ペット用の仏具としても充分に利用可能な新型リン具を得ることができるという効果がある。
【図面の簡単な説明】
【００１５】
【図１】考案の新型リン具の一実施例の構成を示す説明図であり、ａ図は正面図、ｂ図は側面図、ｃ図は平面図である。
【図２】図１の新型リン具の叩打部材の構成を示す説明図である。
【図３】本考案の新型リン具の頭部の他の実施例を示す説明図である。
【考案を実施するための形態】
【００１６】
本考案においては、椀状のリン部材が叩打部材により打ち鳴らされる新型リン具である。この新型リン具には、リン部材を支持し、叩打部材を吊下するための枠体を備える。この枠体の底面部は部分球状であり、リン部材及び叩打部材を含めた枠体の重心が部分球状の上縁高さよりも低い位置とすることにより、枠体が傾いた場合には復原力を備える。
【００１７】
このような新型リン具において、記叩打部材が、前記リン部材の直上の枠体上部に穿設された穿設孔から揺動自在に吊下された吊下材と、前記穿設孔を通過して吊下材の上端部に取付けられた頭部と、前記吊下材の下端部に取付けられた叩打塊とを備え、頭部が枠体に対して取り外し可能な係止手段によって取付けられているものである。これにより、ペット用の仏具としても充分に利用可能な新型リン具を得ることができる。
【００１８】
本考案の椀状のリン部材は、一体化された叩打部材によって叩打され、音が鳴る。特に、枠体の底面部は部分球状であり、リン部材及び叩打部材を含めた枠体の重心が部分球状の上縁高さよりも低い位置とすることにより、枠体が傾いた場合には復原力を備えるため、新型リン具自体を斜めに倒して音を鳴らしたり、復原力で復原する際に音が鳴ったり、枠体ごと持ち上げて手持ちベルのように手で振ることにより、叩打部材が振れてリン部材に当たり音を鳴らしたりできる。また、本体の叩打部材とは別にバチを近くに置いておき、そのバチでリン部材を叩打して音を鳴らしたりもできる。
【００１９】
本考案の新型リン具のリン部材としては、叩打により音が出る金属製の器状のものであれば良く、例えば、真鍮製、鉄製、青銅製、銅製、金製等のものが選択される。また、枠体としては、リン部材を支持し、叩打部材を吊下させ、底面部は部分球状であり、リン部材及び叩打部材を含めた枠体の重心が部分球状の上縁高さよりも低い位置にあって傾きに対する復原力を備えるものであればよい。
【００２０】
本考案の穿設孔を通過して吊下材の上端部に取付けられた頭部としては、種々の形状のものが選択可能である。例えば、仏像を模したもの、花を模したもの、動物を模したもの、内部に写真を保持する写真ホルダー等のものが挙げられる。これらの頭部を購入者等が自由に選択可能とするために、頭部が前記枠体に対して取り外し可能な係止手段によって取付けられていることを特徴とする。
【００２１】
本考案の叩打部材としては、リン部材の直上の枠体上部に穿設された穿設孔から揺動自在に吊下された吊下材と、穿設孔を通過して吊下材の上端部に取付けられた頭部と、吊下材の下端部に取付けられた叩打塊とを備えるものであればよい。また、吊下材としては、金属製線材や紐や糸等が選択される。
【００２２】
本考案における頭部が枠体に対して取り外し可能な係止手段としては、種々のものが選択される。例えば、前述の通り、吊下材が紐や糸の場合には、頭部は枠体に対して固定されればよいため、頭部の下部を枠体の穿設孔に着脱可能に固定するものであればよい。そのため、係止手段としては、下端部に紐又は糸状の吊下材の一端を固定したネジ部材が挙げられる。このネジ部材は枠体の係止孔に螺合して着脱自在に固定される。
【００２３】
また、吊下材が金属製線材であるならば、金属製線材では穿設孔に遊貫されて吊下させれば、叩打部材の揺れに応じて先端部の頭部も揺れる効果も奏する。この場合の係止手段としては、金属製線材の上端部と頭部の下部とを着脱可能に係止させるものが選択される。例えば、金属製線材の上端部自体を雄ねじ加工して、頭部の下部に加工された雌ねじ加工部と係止させるものが挙げられる。また、コレットチャックのように頭部の下部を金属製線材の上端部をチャッキング固定するチャック装置によって係止させてもよい。
【００２４】
更に、吊下材が金属製線材であるならば、頭部と金属製線材の上端部とを着脱不可能に係合させて、金属製線材の下端部と叩打塊とを着脱可能に係合させてもよい。この場合には、頭部と金属製線材との組を取り外し可能に枠体に取付けるものである。この金属製線材の下端部と叩打塊との取り外し可能な係止手段としても種々のものが選択される。例えば、金属製線材の下端部自体を雄ねじ加工して、叩打塊の上部に加工された雌ねじ加工部と係止させるものが挙げられる。また、叩打塊の内部に金属製線材の下端部を導く穿設孔を設け、穿設孔を通過した線材の下端部をコレットチャックのように叩打塊の上部を金属製線材の下端部をチャッキング固定するチャック装置や閂部材等によって係止させてもよい。
【実施例】
【００２５】
図１は考案の新型リン具の一実施例の構成を示す説明図であり、ａ図は正面図、ｂ図は側面図、ｃ図は平面図である。図２は図１の新型リン具の叩打部材の構成を示す説明図である。図３は本考案の新型リン具の頭部の他の実施例を示す説明図である。図に示す通り、本実施例の新型リン具１０は、叩打部材により打ち鳴らされる椀状のリン部材１１を支持する枠体１３を備える。この枠体１３の底面部は、部分球状であり、尚且つ、リン部材１１及び叩打部材を含めた枠体１３の重心が部分球状の上縁高さ１４よりも低い位置にあって傾きに対する復原力を備える。部分球状の上縁高さ１４とは枠体の下部の球状部分が途切れる箇所で尚且つ最も低い部分を指す。
【００２６】
枠体１３の上部から吊下される叩打部材としては、リン部材１１の直上の枠体１３上部に穿設された穿設孔１６から吊下された金属製線材からなる吊下材１７と、穿設孔１６を通過して吊下材１７の上端部に取付けられた頭部１５と、吊下材１７の下端部に取付けられた球状の叩打塊１９とを備える。尚、吊下材１７としては金属製線材を用いているが、金属製でない糸や紐等であってもよい。
【００２７】
本新型リン具１０の椀状のリン部材は、一体化された叩打塊１９によって叩打され、音が鳴る。特に、枠体１３の底面部は部分球状であり、リン部材１１及び叩打塊１９を含めた枠体１３の重心が部分球状の上縁高さ１４よりも低い位置となっているため、枠体１３が傾いた場合には復原力を備える。
【００２８】
このため、新型リン具１０自体を斜めに倒して音を鳴らしたり、復原力で復原する際に音が鳴ったり、枠体１３ごと持ち上げて手持ちベルのように手で振ることにより、叩打塊１９が振れてリン部材１１に当たり音を鳴らしたりできる。また、本体の叩打塊１９とは別にバチを近くに置いておき、そのバチでリン部材１１を叩打して音を鳴らしたりもできる。
【００２９】
本実施例の新型リン具１０は、頭部１５が枠体１３に対して取り外し可能に取付けられている。具体的には、本実施例においては、頭部１５と金属製線材の吊下材１７との連結及び金属製線材の吊下材１７と叩打塊１９との連結の２箇所で取り外し可能に取付けられている。即ち、図２に示す通り、頭部１５の下部にはネジ穴が形成され、吊下材１７の先端部にはねじ山が形成されており、これらネジ機構によって取り外し可能に取付けられている。また、吊下材１７の下端部と叩打塊１９とについては、吊下材１７の下端部にはねじ山が形成され、叩打塊１９の頂部から底部に貫通する貫通孔２０内に挿入可能なチャック材２１によって、取り外し可能に取付けられている。
【００３０】
尚、本実施例では、頭部１５と金属製線材の吊下材１７との連結及び金属製線材の吊下材１７と叩打塊１９との連結の２箇所で取り外し可能に取付けられているが、何れか１つをカシメ止めのように取り外し不可能に取付けても交換可能となる。
【００３１】
さて、犬のシルエットを模った頭部１５を他の頭部に変更するには、他の頭部の下部もネジ穴が形成されている場合には、頭部１５と吊下材１７との螺合を解除し、他の頭部を螺合させて取り換えることができる。また、吊下材１７の下端部にねじ山が形成された他の頭部を上端に備えた金属製線材の吊下材では、チャック材２１を取り外し、叩打塊１９を外した上で、枠体１３から犬のシルエットを模った頭部１５及び吊下材１７を外す。その後、他の他の頭部を上端に備えた金属製線材の吊下材を枠体１３に装着させた上で、叩打塊１９の貫通孔２０に吊下材の後端部を進入させた上でチャック材２１を螺合させて、貫通孔２０に納めることにより、他の頭部に取り換えることができる。
【００３２】
本実施例においては、ネジ機構による係合手段であるが、他の係合手段としては、コレットチャックのように頭部の下部を金属製線材の上端部をチャッキング固定するチャック装置によって係止させてもよし、叩打塊の内部に金属製線材の下端部を導く穿設孔を設け、穿設孔を通過した線材の下端部をコレットチャックのように叩打塊の上部を金属製線材の下端部をチャッキング固定するチャック装置や閂部材等によって係止させてもよい。
【００３３】
図３に示す通り、取り換え可能な他の頭部としては、ａ図に示すような枠部の内部に写真を入れることのできる写真入れ用頭部２５ａ、ｂ図のに示すようなネコのシルエットを模った頭部２５ｂ、ｃ図に示すようなウサギのシルエットを模った頭部２５ｃ、ｄ図に示すようなモルモットのシルエットを模った頭部２５ｄが挙げられる。
【産業上の利用可能性】
【００３４】
本考案の新型リン具は、簡素でモダンな現代的な仏壇の仏具としても用いることができ、また、ペット用の仏具としても充分に利用可能できる。
【符号の説明】
【００３５】
１０  …新型リン具、
１１  …リン部材、
１３  …枠体、
１４  …上縁高さ、
１５  …頭部、
１６  …穿設孔、
１７  …吊下材、
１９  …叩打塊（叩打部材）、
２０  …貫通孔、
２１  …チャック材、
２５ａ〜２５ｄ…別の頭部、
【図１】
0003193333.tif 000003
【図２】
0003193333.tif 000004
【図３】
0003193333.tif 000005